(57)【要約】【課題】上下水処理システム等の設備を管理する管理現場において、監視員が日頃扱っている情報データを効率的に表示させるように、上下水処理システムの全体を管理するメイン設備管理センタの管理業務の処理効率を向上させること。【解決手段】管理の対象となる装置を備えた設備と、この設備を管理する設備管理センタとを備えた設備管理システムにおいて、前記設備管理センタ１３は、設備を監視する監視制御装置１５と、この監視制御装置１５に対して、監視員１１側が所持する通信端末１６から送信される端末固有信号ａを受信して前記監視制御装置１５へ送信する端末送受信機１７と、前記監視制御装置１５には、前記端末固有信号ａを受信することにより、通信端末１６を所持する監視員１１側が日常使用される情報データを画面表示するデータ表示装置２０とを備える。【選択図】  図１
2004334319.tif 000002
【特許請求の範囲】
【請求項１】
管理の対象となる装置を備えた設備と、この設備を管理する設備管理センタとを備えた設備管理システムにおいて、
前記設備管理センタは、設備を監視する監視制御装置と、この監視制御装置に対して、監視員側が所持する通信端末から送信される端末固有信号を受信して前記監視制御装置へ送信する端末送受信機と、
前記監視制御装置には、前記端末固有信号を受信することにより、通信端末を所持する監視員側が日常使用される情報データを画面表示するデータ表示装置とを備えたことを特徴とする設備管理システム。
【請求項２】
前記設備管理センタは、複数設けられ、この複数の設備管理センタ間をＬＡＮケーブルを介して接続し、上記複数の設備管理センタの監視制御装置が共通に作動するようにしたことを特徴とする請求項１記載の設備管理システム。
【請求項３】
前記監視制御装置には、データ入力装置および演算処理装置が設けられ、この画像処理装置には、データ入力装置から日常使用される情報データが入力されることにより、この入力された情報データを保存するデータベースを備えたことを特徴とする請求項１記載の設備管理システム。
【請求項４】
管理の対象となる設備を備え、この設備を設備管理センタにて管理する設備管理方法において、
前記設備管理センタ側の監視制御装置が、監視員側が所持する通信端末から送信される端末固有信号を受信することにより、前記監視員側が日常使用される情報データを画面表示することを特徴とする設備管理方法。
【請求項５】
前記日常使用される情報データを、１つの設備管理センタから他の設備管理センタ側へＬＡＮケーブルを介して送信可能にすることを特徴とする請求項４記載の設備管理方法。
【請求項６】
前記日常使用される情報データをテーマ名目録等の書誌事項をデータ表示装置へ表示し、この表示されたテーマ名目録等の書誌事項から監視員側が選択した事項に対応した生情報データまたはフル情報データが次に表示されるようにすることを特徴とする請求項４記載の設備管理方法。
【発明の詳細な説明】
【０００１】
【発明の属する技術分野】
この発明は、上下水処理システム等の設備における監視技術に係るもので、特に監視制御装置にて監視を行なう設備管理システムおよび設備管理方法に関する。
【０００２】
【従来の技術】
従来の設備管理システムは、上下水道の処理を集中的に行なう上下水道設備管理センタ等の設備管理センタに設置される設備機器の稼動状態や水処理制御状態等の運用状況を監視するために、設備管理センタに設けられた監視制御装置にて監視するようになされている。
【０００３】
この監視制御装置は、設備機器の運用状況を監視するために、制御盤が設置され、この制御盤には、データ入力装置やデータ表示装置が設けられている。
【０００４】
制御盤は、設備機器の運用状況の全体を監視するために、監視を分担する複数の監視員による監視体制がとられており、それぞれの監視員が他の監視員と共通に使用されるデータ表示装置を利用するようになされている。
【０００５】
１人の監視員が必要により、データ入力装置を操作して、データ表示装置にて担当する分野のデータを表示する場合には、通常初期画面から表示され、暫時担当分野のデータ表示画面へと選択操作を行い、必要な情報データを画面表示するのが一般的である。
【０００６】
また、別の設備管理システムとして、データ表示装置に初期画面から表示されるにしても、初期画面にユーザ（個人）がよく使用する情報データのメニューがデータ表示画面へ選択表示されるようになされたものがある。
【０００７】
この設備管理システムによれば、必要な情報データを画面表示する遠隔監視・操作を行なうために、データ表示の指示選択を簡単にし、各ユーザ（通信端末使用者）に対応したメニュー表示を実現するようにしている。
【０００８】
例えば、（特許文献１）に示される設備管理システムによれば、添付図面の図６に示すように、ユーザ特性データ１、ユーザセグメントと、メニュー特性関連データ２およびそのユーザのメニュー利用頻度情報データ３に基づいて、メニュー項目を配置したユーザ個別のホームページ４を用意し、これをユーザに利用（パソコン等コンピュータの表示画面へ表示）させるようにしている。
【０００９】
また、このユーザの利用にあたって、ユーザ特性データ１に基づき、ユーザ特性に合せた表示をするために、メニュー表示変換データ５を設けている。
【００１０】
【特許文献１】
特開２００２−２５９０１２号公報［第１頁左欄［要約］，第１０頁第３２〜３８行目および第１１頁左欄の第１５〜２７行目並びに第５図（情報データのユーザのホームページ用にユーザ特性データが保存され、ユーザのメニュー利用頻度に応じてメニュー表示を行なう）］
【００１１】
【発明が解決しようとする課題】
このように、特許文献１によれば、情報データを利用するユーザに対応したメニュー利用頻度情報データ３に基づいて、ユーザが利用する頻度の高い情報データが自動的に且つ優先的に選択されることになり、当該ユーザにとっては、甚だ便利なものとなっている。
【００１２】
このように、設備機器の遠隔監視・操作を行なう場合には便利なものであるが、設備管理システムの管理現場において、監視制御装置を複数の監視員により直接扱う場合には対応できないものである。
【００１３】
また、メニュー表示のみならず、日頃扱われる情報データそのものが表示されることが望まれる。
【００１４】
本発明は、以上の点に鑑みてなされたもので、設備管理システムの管理現場において、監視制御装置を複数の監視員により直接扱う場合においても、監視員が日頃扱っている情報データがある場合には、監視員が管理現場に当該情報データを直ちに表示できることを特徴とする設備管理システムおよび設備管理方法を提供することを目的とする。
【００１５】
【課題を解決するための手段】
上記目的を達成するために、請求項１記載の発明によれば、管理の対象となる装置を備えた設備と、この設備を管理する設備管理センタとを備えた設備管理システムにおいて、前記設備管理センタは、設備を監視する監視制御装置と、この監視制御装置に対して、監視員側が所持する通信端末から送信される端末固有信号を受信して前記監視制御装置へ送信する端末送受信機と、前記監視制御装置には、前記端末固有信号を受信することにより、通信端末を所持する監視員側が日常使用される情報データを画面表示するデータ表示装置とを備えたことを特徴とする設備管理システムを提供する。
【００１６】
上記目的を達成するために、請求項４記載の発明によれば、管理の対象となる設備を備え、この設備を設備管理センタにて管理する設備管理方法において、前記設備管理センタ側の監視制御装置が、監視員側が所持する通信端末から送信される端末固有信号を受信することにより、前記監視員側が日常使用される情報データを画面表示することを特徴とする設備管理方法を提供する。
【００１７】
【発明の実施の形態】
本発明に係る設備管理システムの実施形態について、添付図面を参照して説明する。
【００１８】
図１は、本発明の設備管理システムの概要を示す。
【００１９】
この設備管理システム１０は、設備管理システム１０の運用を管理する監視員１１をして効率的に設備を扱うことができるようにしたものであり、例えば上下水処理を集中的に行なう上下水設備管理システムに適用される。
【００２０】
この設備管理システム１０は、例えば下水を受け入れてから、殺菌処理、透明度処理等の処理後に利用水または排水するまでの処理工程の管理やその処理作業に用いられる設備機器や計器類の装置を備えた上下水処理装置群１２と、この上下水処理装置群１２による上下水処理の運用管理を集中的に行なうメイン設備管理センタ１３と、
複数の上下水処理現場に設けられ、メイン設備管理センタ１３の支援を行なう第１のサブ設備管理センタ１３ａ〜第Ｎのサブ設備管理センタ１３ｎと、
これらの各上下水処理装置群１２，メイン設備管理センタ１３および第１のサブ設備管理センタ１３ａ〜第Ｎのサブ設備管理センタ１３ｎの相互間を通信接続するＬＡＮケーブル１４とより構成される。
【００２１】
前記上下水処理装置群１２は、上下水流水量監視装置１２ａ，上下水流水ポンプ制御装置１２ｂ，上下水水質検出装置１２ｃ，…上下水貯流量監視装置１２ｎとから構成される。
【００２２】
メイン設備管理センタ１３は、設備機器全体の管理を集中的に行なうことができるように設けられる監視制御装置１５と、この監視制御装置１５を日常的に監視する監視員１１が所持する通信端末１６から送信する端末固有信号ａを受信し、監視制御装置１５側へ送信する端末送受信機１７とから構成される。
【００２３】
監視制御装置１５は、データ入力装置１８と、このデータ入力装置１８に通信接続される演算処理装置１９と、この演算処理装置１９に通信接続され、この演算処理装置１９で演算処理された情報データがデータ表示される、例えば図５に示すように、表示画面２０ａを備えたデータ表示装置２０とより構成される。
【００２４】
監視制御装置１５のデータ入力装置１８は、監視員１１が監視の対象となる各種の情報データ、例えば監視データや保守データ等の情報データを、例えばキーボード操作により入力し、演算処理装置１９側にてデータ保存できるようになっている。
【００２５】
すなわち、監視員１１が日常業務で取得した情報データをデータ入力装置１８を用いて入力操作することにより、データ入力信号ｂを演算処理装置１９側へ送信して、この演算処理装置１９のデータベース１９ａにデータ保存するようになっている。
【００２６】
また、データ入力装置１８は、キーボードの入力操作により所望の情報データが検索できるようになっている。
【００２７】
すなわち、演算処理装置１９は、データ入力装置１８から演算処理装置１９のデータベースに保存された情報データをキーボードから検索入力を行なうと、データ検索信号ｂ１が演算処理装置１９側へ送信され、この演算処理装置１９における検索結果が、情報データ信号ｃとして生成されるようになっている。
【００２８】
この生成された情報データ信号ｃは、監視制御装置１５のデータ表示装置２０の表示画面２０ａへ出力されデータ表示されるようになっている。
【００２９】
この情報データ信号ｃは、監視員１１が所望する生情報データやデータ項目または要約等の情報データである。
【００３０】
一方、通信端末１６は、監視員１１が監視制御装置１５を設置する監視室（図示せず）に、例えば入室する時に携帯するもので、入室した時に監視員１１が通信端末１６を適宜に操作することにより、端末固有信号ａが端末送受信機１７側へ送信されるものである。
【００３１】
また、監視制御装置１５の演算処理装置１９は、前記各種の情報データを保存するデータベース１９ａと共に通信端末１６側から受信した端末固有信号ａに基き、特定の監視員１１の所持する通信端末１６であることを判定する端末機器判定手段１９ｂを備えている。
【００３２】
演算処理装置１９は、図２に示すように、接続回線１４ａを介してＬＡＮケーブル１４へ接続し、前記所望の情報データを情報データ信号ｃにより他の第１のサブ設備管理センタ１３ａ等の設備管理センタ側へ送信できるようになっている。
【００３３】
従って、第１のサブ設備管理センタ１３ａ側においても、前記情報データ信号ｃを受信し、サブ監視制御装置２１のデータ表示装置（図示せず）に表示させることができるようになっている。
【００３４】
監視制御装置１５のデータ表示装置２０は、図３に示すように、このデータ表示装置２０の表示画面２０ａに、例えば［本日の下水排出量変化］のグラフ表示がなされる。
【００３５】
このグラフ表示された管理データは、通信端末１６を使用する特定の監視員が日常的な使用頻度に応じた情報データが優先的に表示されるようになっている。
【００３６】
また、この情報データ信号ｃは、接続回線１４ａを介して、ＬＡＮケーブル１４経由で別のサブ監視センタ、例えば第１のサブ監視センタ１３ａ側へ送信されるようになっている。
【００３７】
次に、第１のサブ設備管理センタ１３ａ〜第Ｎのサブ設備管理センタ１３ｎ側について説明する。
【００３８】
第１のサブ設備管理センタ１３ａは、図２に示すように、サブ監視制御装置２１および第１のサブ設備管理センタ用の信号送受信機１７ａが備えられる。
【００３９】
このサブ監視制御装置２１には、接続回線１４ｂを介してＬＡＮケーブル１４に接続され、メイン設備管理センタ１３の監視制御装置１５の演算処理装置１９と通信接続されている。
【００４０】
更に、この第１のサブ設備管理センタ１３ａのサブ監視制御装置２１には、メイン設備管理センタ１３に備えたデータベース１９ａと同様の情報データを保存するデータベース２１ａが設けられる。
【００４１】
次に、本発明の設備管理システム１０の作用を説明する。
【００４２】
監視員１１が通信端末１６を用いて設備管理（監視）を行なう場合と、データ入力装置１８を用いて設備管理（監視）を行なう場合について説明する。
【００４３】
［通信端末を用いて設備管理を行なう場合］
図４は、設備管理システム１０における通信端末１６を所持する監視員１１による端末操作から、監視員１１が所望するデータがデータ表示装置２０に表示されるまでのフローを示している。
【００４４】
メイン設備管理センタ１３内において、通信端末１６を所持する監視員１１が監視制御装置１５を設置する監視室に入室して通信端末１６を操作すると、端末固有信号ａが発信される。
【００４５】
この端末固有信号ａが発信されると、監視制御装置１５側の端末送受信機１７が端末固有信号ａを受信する＜ステップ１＞。
演算処理装置１９が端末固有信号ａを受信することにより、端末固有信号ａを発信した通信端末１６を所持する監視員１１を端末判定手段１９ｂにて判定（特定）する＜ステップ２＞。
通信端末１６を所持する監視員１１であることが判定されると、この監視員１１が日常よく使用する情報データが自動的に抽出され、情報データ信号ｃにより出力される＜ステップ３＞。
情報データ信号ｃをデータ表示装置２０が受信すると、この情報データ信号ｃに含まれる情報データがデータ表示装置２０に画面表示される＜ステップ４＞。
【００４６】
［データ入力装置を用いて設備管理を行なう場合］
図５は、設備管理システム１０におけるデータ入力装置１８から、監視員１１が所望するデータがデータ表示装置２０に表示されるまでのフローを示している。
【００４７】
メイン設備管理センタ１３内において、監視員１１が監視制御装置１５のデータ入力装置１８にて所望する情報データを入力操作すると、データ入力装置１８からデータ検索信号ｂ１が演算処理装置１９側に送信される＜ステップ１＞。
データ検索信号ｂ１を受信した演算処理装置１９は、管理データを保存するデータベース１９ａからデータ検索信号ｂ１に対応した情報データが抽出され、情報データ信号ｃをデータ表示装置２０側へ送信する＜ステップ２＞。
【００４８】
この設備管理システム１０によれば、設備装置群としての上下水処理装置群１２を例示したが、発電所設備や変電所設備等の設備へも応用可能である。
【００４９】
また、これらの設備は、必ずしも複数設置される必要はなく１つの設備であってもよい。
【００５０】
更に、この設備管理システム１０における監視員１１が所持する通信端末１６は、通信端末１６を監視員１１が自ら操作して端末固有信号ａを送信するのみならず、監視員１１に所持された通信端末１６が監視制御装置１５に近づくことにより、通信端末１６が自動的に作動して、端末固有信号ａが出力されるようにしてもよい。
【００５１】
すなわち、例えば監視制御装置１５を設置する監視室（図示せず）側に、微弱な電波を出力させる一方、通信端末１６側にはこの微弱な電波を受信して作動する作動装置を備えることができる。
【００５２】
また、この設備管理システム１０における通信端末１６は、サブ設備管理センタ、例えば第１のサブ設備管理センタ１３ａ側においても使用可能にすることができる。
【００５３】
この場合には、図２に示すように、通信端末１６から端末固有信号ａを第１のサブ設備管理センタ１３ａ側を経由してメイン設備管理センタ１３側へ送信し、この端末固有信号ａを受信したメイン設備管理センタ１３側から表示データ信号ｃを受信するようにして対応させることができる。
【００５４】
更にまた、本発明の設備管理システム１０において、監視員１１が日常よく使用する生情報データやフル情報データを含む情報データ信号ｃには、画面表示の初期に使用し易いようにテーマ名目録等の書誌事項を先ず表示することもできる。
【００５５】
この場合には、監視員１１が書誌事項から選択して情報データを表示することができる。
【００５６】
【発明の効果】
本発明によれば、上下水処理システム等の設備を管理する管理現場において、監視制御装置を複数の監視員により直接取り扱う際、監視員が日常的に扱っている情報データそのものを監視員が直ちに見たい場合、情報データを呼び出し、この呼び出した情報データを画面表示させる作業を経ることなく、短時間で行なうことができる。
【００５７】
従って、他の監視員が所望する情報データを見る場合に、監視制御装置の利用頻度や時間を多く取ることも可能となり、メイン設備管理センタ全体としての管理業務の処理効率を一層向上させることができる設備管理システムおよび設備管理方法を提供することができる。
【図面の簡単な説明】
【図１】本発明の設備管理システムの一実施形態を示す概要図。
【図２】本発明の設備管理システムに適用されるメイン設備管理センタ、サブ設備管理センタおよび通信端末相互間の通信系を示す図。
【図３】データ表示装置の表示画面へ表示する情報データの例を示す図。
【図４】通信端末操作から、監視員が所望するデータがデータ表示装置に表示されるまでのフローを示す図。
【図５】データ入力装置から監視員が検索する情報データがデータ表示装置に表示されるまでのフローを示す図。
【図６】従来の設備管理システムの概要図。
【符号の説明】
１０  設備管理システム
１１  監視員
１２  上下水処理装置群
１２ａ  上下水流水量監視装置
１２ｂ  上下水流水ポンプ制御装置
１２ｃ  上下水水質検出装置
１２ｎ  上下水貯貯留量監視装置
１３  メイン設備管理センタ
１３ａ  第１のサブ設備管理センタ
１３ｂ  第２のサブ設備管理センタ
１３ｎ  第ｎのサブ設備管理センタ
１４  ＬＡＮケーブル
１４ａ，１４ｂ  接続回線
１５  監視制御装置
１６  通信端末
１７  端末送受信機
１７ａ  信号送受信機
１８  データ入力装置
１９  演算処理装置
１９ａ，２１ａ  データベース
１９ｂ  端末判定手段
２０  データ表示装置
２０ａ  表示画面
２１  サブ監視制御装置
ａ  端末固有信号
ｂ  データ入力信号
ｂ１  データ検索信号
ｃ  情報データ信号
【図１】
2004334319.tif 000003
【図２】
2004334319.tif 000004
【図３】
2004334319.tif 000005
【図４】
2004334319.tif 000006
【図５】
2004334319.tif 000007
【図６】
2004334319.tif 000008